(57)【要約】【課題】連結状態で上蓋を個別に自在に開閉でき、しかも上蓋と容器本体とを充分に装着した状態で連結することが出来る連結機能付ヒンジ容器を提供する。【解決手段】容器本体２と上蓋３とがヒンジ連結部４により開閉自在に連結してなり、この容器本体２は、その一矩形状側壁５ａに連結凸部６を設けると共にその反対側の他矩形状側壁５ｂに連結凸部６と係合する連結凹部７を設けてなり、一方、上蓋３は、容器本体２の一矩形状側壁５ａ及びその反対側の他矩形状側壁５ｂに対し直角方向の矩形状側壁５の上端部５Ａに、ヒンジ連結部４により連結してなり、隣接する複数の容器本体２を連結凹部７に連結凸部６を嵌めることで連結する共に、連結状態の各容器本体２における上蓋３の開閉軌跡が、互いに交じり合わないようにすることで、上記課題を達成きる。【選択図】 図１
2011207485.tif 000002
【特許請求の範囲】
【請求項１】
容器本体と上蓋がヒンジ連結部により開閉自在に連結してなり、前記容器本体は、その一側壁に連結凸部を設けると共にその反対側の他側壁に前記連結凸部と係合する連結凹部を設けてなり、前記上蓋は、前記容器本体の一側壁及びその反対側の他側壁に対し直角方向の側壁の上端部に前記ヒンジ連結部により連結してなり、隣接する複数の前記容器本体を前記連結凹部に連結凸部を嵌めることで連結する共に、連結状態の各容器本体における前記上蓋の開閉軌跡が互いに交じり合わないようにしたことを特徴とする連結機能付ヒンジ容器。
【請求項２】
前記連結凸部と連結凹部が容器本体の下方からスライド式に係合され、連結完了時に連結凸部の上端が上蓋下端に当接して係止するようにされている請求項１記載の連結機能付ヒンジ容器。
【請求項３】
前記容器本体は矩形状側壁と該側壁の内周面から連結部を介して矩形状筒部または円筒状筒部を連結し、該筒部の下面には、ヒンジ連結部が設けられた側壁側からヒンジ連結部が設けられた側壁側と反対側の側壁に向けて下方に傾斜して延びる底板が設けられ、上蓋の天板部内面には、前記容器本体の矩形状筒部の上端から上方に延びる上蓋係止筒部の外周面と係合する係合筒部が設けられ、該係合筒部の内周側には天板部内面から下方に延び、前記上蓋係止筒部の内周面に密着する円筒状シール突部が設けられている請求項１または２記載の連結機能付ヒンジ容器。
【発明の詳細な説明】
【技術分野】
【０００１】
本発明は、容器本体と上蓋とが開閉自在に連結してなるヒンジ容器同士を、着脱自在に連結できる連結機能付ヒンジ容器に関し、より詳しくは、連結状態で上蓋を個別に自在に開閉でき、しかも上蓋と容器本体とを充分に装着した状態で連結することが出来る連結機能付ヒンジ容器に関する。
【背景技術】
【０００２】
複数の容器同士を着脱自在に連結可能なヒンジ容器としては、容器本体と上蓋とがヒンジ連結部により開閉自在に連結してなり、上蓋の開閉自在性に加えて上蓋の不離脱性も付与されて、その利便性が高められていることから、従来から多く利用されている。
【０００３】
一方、複数の上蓋付の容器本体を連結したものは、トレタリー、医薬品、食品などの保管及び携行に便利であり、具体例としては、ピルケースが知られている。このピルケースは、通常複数の上蓋付の容器本体が予め一体に成形されているために、連結したり分離することができないものである。
【０００４】
そこで、複数の上蓋付の容器本体が連結したり分離したりできる容器５０は、図５に示すように、容器本体５１の口部に装着する上蓋５２の周壁５３の一面に、ほぼ平均肉厚の嵌合凸部５４を設け、この周壁５３の一面５３ａと対応する他面に、ほぼ平均肉厚の嵌合凹部５５を設けたものである。容器５０同士を連結するには、一方の容器５０Ａの上蓋５２の嵌合凸部５４を、他方の容器５０Ｂの上蓋５２の嵌合凹部５５に嵌着し、一方の容器５０Ａの嵌合凸部５４の下端を、他方の容器５０Ｂの容器本体５１の肩部５６に当接させて連結するものである。（例えば、特許文献１参照）。
【先行技術文献】
【特許文献】
【０００５】
特開平１１−１８０４４５号公報
【発明の概要】
【発明が解決しようとする課題】
【０００６】
図５に示す容器５０は、連結したり分離したりできるが、上蓋５２部分を連結分離するものであるため、連結した状態では上蓋５２が連動して、個々の容器蓋を個別に開閉することができない。また、他方の容器５０Ｂの上蓋５２の嵌合凹部５５に、一方の容器５０Ａの上蓋５２の嵌合凸部５４を、嵌着することにより、一方の容器５０Ａと他方の容器５０Ｂとを連結するために、上蓋５２のように容器と上蓋との係合をねじにより行うような場合には、容器へのねじ締め完了位置と、上蓋５２の嵌合凹部５５と嵌合凸部５４との面合わせ位置とを一致させることが難しくなるという不具合がある。
【０００７】
そこで、本発明の目的は、連結状態で個々の容器の上蓋を個別に自在に開閉でき、しかも上蓋と容器本体とを充分に装着した状態で連結することが出来る連結機能付ヒンジ容器を提供することにある。
【課題を解決するための手段】
【０００８】
本発明は、上記目的を達成するために提案されたものであって、下記の構成からなることを特徴とするものである。
すなわち、本発明によれば、容器本体と上蓋がヒンジ連結部により開閉自在に連結してなり、前記容器本体は、その一側壁に連結凸部を設けると共にその反対側の他側壁に前記連結凸部と係合する連結凹部を設けてなり、前記上蓋は、前記容器本体の一側壁及びその反対側の他側壁に対し直角方向の側壁の上端部に前記ヒンジ連結部により連結してなり、隣接する複数の前記容器本体を前記連結凹部に連結凸部を嵌めることで連結する共に、連結状態の各容器本体における前記上蓋の開閉軌跡が互いに交じり合わないようにしたことを特徴とする連結機能付ヒンジ容器が提供される。
【０００９】
また、本発明によれば、前記連結凸部と連結凹部が容器本体の下方からスライド式に係合され、連結完了時に連結凸部の上端が上蓋下端に当接して係止するようにされている連結機能付ヒンジ容器が提供される。
【００１０】
また、本発明によれば、前記容器本体は矩形状側壁と該側壁の内周面から連結部を介して矩形状筒部または円筒状筒部を連結し、該筒部の下面には、ヒンジ連結部が設けられた側壁側からヒンジ連結部が設けられた側壁側と反対側の側壁に向けて下方に傾斜して延びる底板が設けられ、上蓋の天板部内面には、前記容器本体の矩形状筒部の上端から上方に延びる上蓋係止筒部の外周面と係合する係合筒部が設けられ、該係合筒部の内周側には天板部内面から下方に延び、前記上蓋係止筒部の内周面に密着する円筒状シール突部が設けられている連結機能付ヒンジ容器が提供される。
【００１１】
上記第１の課題解決手段による作用は、隣接する複数の容器本体のうち、一方の容器本体の連結凹部に、他方の容器本体の連結凸部を嵌めることで連結し、これを順次繰り返せば容器本体を無限に連結でき、さらに、この連結状態の各容器本体において、各上蓋を各開閉軌跡が交じり合うことなく個別に開閉できる。また、容器本体同士を連結するものであるために、その連結が上蓋と容器本体との装着具合に影響することがない。
【００１２】
上記第２の課題解決手段による作用は、一方の容器本体の連結凹部に、これの下方から他方の容器本体の連結凸部を上方にスライドさせて係合してゆき、連結凸部の上端が一方の容器本体側の上蓋下端に当接して係止することで、連結が完了する。
【００１３】
上記第３の課題解決手段による作用は、容器本体の筒部内に薄板状製品を収納する際、筒部の傾斜底板による最深部から最浅部に薄板状製品を順次収納してゆけば、各薄板状製品は傾斜底板によって段差を形成し、容器本体の筒部内から薄板状製品を上記段差を利用して取り出しやすくすることができる。また、容器本体に上蓋を被せると、容器本体の上蓋係止筒部に上蓋の円筒状シール突部が嵌合して密封状態を保持することができる。
【発明の効果】
【００１４】
本発明の連結機能付ヒンジ容器によれば、連結状態で上蓋を個別に自在に開閉でき、しかも上蓋と容器本体との装着状態に影響されることなく連結することが出来て、全体として連結が容易となる効果がある。
【００１５】
また、本発明の連結機能付ヒンジ容器によれば、上記の効果に加えて、容器本体同士を連結する際、スライドによる係合が行き過ぎることがなく、安定的に容易確実に連結ができる効果がある。
【００１６】
また、本発明の連結機能付ヒンジ容器によれば、上記の効果に加えて、容器本体の筒部内から薄板状製品を取り出し易くなり、かつ、上蓋と容器本体との密封性が向上する効果がある。
【図面の簡単な説明】
【００１７】
【図１】本発明の実施の形態を示す上蓋を開いた状態の連結機能付ヒンジ容器の斜視図である。
【図２】本発明の実施の形態を示す上蓋を開いた状態の連結機能付ヒンジ容器の側面図である。
【図３】本発明の実施の形態を示す上蓋を開いた状態の連結機能付ヒンジ容器の平面図である。
【図４】本発明の実施の形態を示す連結機能付ヒンジ容器を複数連結した状態の斜視図である。
【図５】従来の連結容器の例を示す一部を断面で示した側面図である。
【発明を実施するための形態】
【００１８】
以下に、図面を参照して本発明を実施するための形態を説明する。
【実施例１】
【００１９】
図面において、１は連結機能付ヒンジ容器であり、この連結機能付ヒンジ容器１は、容器本体２と上蓋３とがヒンジ連結部４により開閉自在に連結してなり、この容器本体２は
、その一の矩形状側壁５ａに連結凸部６を設けると共にその反対側の他の矩形状側壁５ｂに連結凸部６と係合する連結凹部７を設けてなり、一方、上蓋３は、容器本体２の一の矩形状側壁５ａ及びその反対側の他の矩形状側壁５ｂに対し直角方向の矩形状側壁５の上端部５Ａに、ヒンジ連結部４により連結してなり、隣接する複数の容器本体２を連結凹部７に連結凸部６を嵌めることで連結する共に、連結状態の各容器本体２における上蓋３の開閉軌跡が、互いに交じり合わないようにしたものである。
【００２０】
前記容器本体２は、矩形状の側壁５を有し、その矩形状側壁５の内周面から連結部１０を介して矩形状筒部１１を連結し、この矩形状筒部１１の下面には、前記ヒンジ連結部４が設けられた矩形状側壁５ｃ側から下方に向いてヒンジ連結部４が設けられた矩形状側壁５ｃ側と反対側の矩形状側壁５ｄに向けて下方に傾斜して延びる底板１２が設けられ、また、この矩形状筒部１１の上端からは上方に延びる円筒形状の上蓋係止筒部１３を有している。なお、この矩形状筒部１１は、矩形状側壁５ａ、５ｂ、５ｃ、５ｄにより囲われていることになる。
【００２１】
上述のとおり、矩形状筒部１１の底板１２が傾斜していることにより、図２に示すように、矩形状筒部１１内に薄板状製品１４を収納する際、矩形状筒部１１の傾斜した底板１２による最深部から最浅部に薄板状製品１４を順次収納してゆけば、各薄板状製品１４は傾斜した底板１２によって段差１５を形成し、容器本体２の矩形状筒部１１内から薄板状製品１４を上記段差１５を利用すれば容易に取り出すことができる。
【００２２】
なお、この例では、矩形状筒部１１を矩形状側壁５により囲っているが、矩形状筒部１１に代えて、円筒状筒部であっても差し支えない。
【００２３】
容器本体２の矩形状側壁５ａには、鉄道のレール状を成した連結凸部６が設けられ、一方、反対側の矩形状側壁５ｂには、鉄道レール状の連結凸部６に嵌められ且つスライド式に係合されるＣ型溝型鋼状の連結凹部７が設けられている。したがって、容器本体２同士を連結するには、隣接する容器本体２のうち一方の容器本体２の連結凹部７に対し、その下端から他方の容器本体２の連結凸部６の上端を嵌め、他方の容器本体２を上方にスライドさせて行けばよい。そして、連結完了時に、他方の容器本体２の連結凸部６の上端６ａは、一方の容器本体２に被せてある上蓋３の下端３ａに当接して係止するようになっている。
【００２４】
前記上蓋３は、既述のとおり、容器本体２の一の矩形状側壁５ａ及びその反対側の他の矩形状側壁５ｂに対し直角方向の矩形状側壁５、すなわち、前記矩形状側壁５ｃの上端部５Ａに、ヒンジ連結部４により連結しているから、連結状態の各容器本体２において、各上蓋３は各開閉軌跡が交じり合うことがなく、それぞれの容器を必要に応じて個別的に開閉することができる。また、容器本体２同士を連結するものであり、また、上蓋がねじ係合ではなく、凹部と凸部との嵌め込みによるものであるため、その連結が上蓋３と容器本体２との装着具合に影響することがない。
【００２５】
そして、上蓋３の天板部内面には、前記容器本体２の矩形状筒部１１の上端から上方に延びる上蓋係止筒部１３の外周面と係合する係合筒部が設けられ、該係合筒部の内周側には天板部内面から下方に延び、上蓋係止筒部１３の内周面に密着する円筒状シール突部１６が設けられているため、上蓋３と容器本体２との密封性が保持されている。また、上蓋３のヒンジ連結部４と反対側には鍔１７が設けられ、さらに、鍔１７に手指を掛け易くするために、容器本体２の矩形状側壁５ｄには凹み部１８が設けられている。したがって、上蓋３の開閉がスムーズにできる。
【００２６】
前記ヒンジ連結部４は、中央に薄肉部が設けられた連結板１９及びその両側にある板バネ２０からなり、閉じた状態の上蓋３を板バネ２０のバネ力に抗して開ききると、上蓋３の戻りがなく開いた状態を保持し、逆に、開いた状態の上蓋３を板バネ２０のバネ力に抗して閉じきると、上蓋３の戻りがなく閉じた状態を保持することができる。
【００２７】
次に、上記構成になる連結機能付ヒンジ容器１の一例について利用方法を説明する。
まず、薄板状製品１４を収納した連結機能付ヒンジ容器１同士を連結するには、図４の上蓋３が閉じた状態の、一方の連結機能付ヒンジ容器１Ａにおける容器本体２の連結凹部７に対し、その連結凹部７下端から図４の他方の連結機能付ヒンジ容器１Ｂにおける容器本体２の連結凸部６の上端を嵌め、他方の連結機能付ヒンジ容器１Ｂを上方（矢線Ａ方向）にスライドさせて行くと、他方の連結機能付ヒンジ容器１Ｂの連結凸部６の上端６ａは、一方の連結機能付ヒンジ容器１Ａに被せてある上蓋３の下端３ａに当接して係止するようになって、連結が完了する。この操作を順次繰り返せば、図４に示すように、連結機能付ヒンジ容器１を多数連結できることになる。
【００２８】
次に、図４において連結状態にある容器の右側に位置する容器１Ａに示すように、上蓋３を開き、容器本体２の矩形状筒部１１内に製品、例えば、薄板状製品１４を収納すると、図２に示すように、底板１２が傾斜しているから、各薄板状製品１４は段差１５を形成することになり、その状態で上蓋３を被せると、容器本体２の矩形状筒部１１の上蓋係止筒部１３の内周面に、円筒状シール突部１６が嵌合して、上蓋３と容器本体２との密封性が高められる。この作業を順次行うことにより、連結状態した状態の容器内に、製品の収容を行うことができるものである。
【００２９】
そして、複数連結している連結機能付ヒンジ容器１を個別に分離するには、例えば、図４の一方の連結機能付ヒンジ容器１Ａに対して、図４の他方の連結機能付ヒンジ容器１Ｂを下方（矢線Ｂ方向）にスライドさせて行けば、一方の連結機能付ヒンジ容器１Ａの連結凹部７から他方の連結機能付ヒンジ容器１Ｂの連結凸部６が外れ、他方の連結機能付ヒンジ容器１Ｂを分離できる。
【００３０】
また、複数連結している状態で連結機能付ヒンジ容器１の上蓋３を開けるには、鍔１７に手指を掛け、上方に上蓋３を引き上げればよい。すなわち、上蓋３は、ヒンジ連結部４により開閉自在に容器本体２に連結し、且つ、連結状態の各容器本体２における各上蓋３は、各開閉軌跡が交じり合うことがないから、それぞれの容器の上蓋を個別に開閉することができる。さらに、連結機能付ヒンジ容器１の矩形状筒部１１内に収納されている薄板状製品１４を取り出すには、薄板状製品１４が矩形状筒部１１内で段差１５状に収納されているので、薄板状製品１４を１枚ずつ容易に取り出すことができる。
【００３１】
以上、本発明の実施例１を説明したが、具体的な構成はこれに限定されず、本発明の要旨を逸脱しない範囲での変更は、適宜可能であることが理解されるべきである。
【産業上の利用可能性】
【００３２】
本発明の連結機能付ヒンジ容器は、連結状態で上蓋を個別に自在に開閉したい場合や、上蓋と容器本体とが充分に装着した状態で連結したい場合に利用可能性が高く、特に容器本体に収納してある製品を容易に取り出したいような場合に、その利用可能性が極めて高くなる。
【符号の説明】
【００３３】
１、１Ａ、１Ｂ                連結機能付ヒンジ容器
２                            容器本体
３                            上蓋
３ａ                          下端
４                            ヒンジ連結部４
５、５ａ、５ｂ、５ｃ、５ｄ    矩形状側壁
５Ａ                          上端部
６                            連結凸部
６ａ                          上端
７                            連結凹部
１０                          連結部
１１                          矩形状筒部
１２                          底板
１３                          上蓋係止筒部
１４                          薄板状製品
１５                          段差
１６                          円筒状シール突部
１７                          鍔
１８                          凹み部
１９                          連結板
２０                          板バネ
【図１】
2011207485.tif 000003
【図２】
2011207485.tif 000004
【図３】
2011207485.tif 000005
【図４】
2011207485.tif 000006
【図５】
2011207485.tif 000007